(57)【要約】【課題】接続枠の下枠について、作業性を向上しながら、変形等を抑えることができるユニットルームの接続構造を提供する。【解決手段】ユニットルーム２の接続構造は、隣り合う一対のユニットルーム２と、一対の開口部４１２と、接続枠６とを備える。一対の開口部４１２は、一対のユニットルーム２の各々に形成されて互いに対向する。接続枠６は、一対のユニットルーム２の間に配置され、一対の開口部４１２の周縁同士を接続する。接続枠６は一対の開口部４１２の下縁部同士を接続する下枠６１を有する。下縁部は下枠６１の端面に対向する縦面３３１を有する。縦面３３１と下枠６１の端面との間の少なくとも一部にくさび部材７が配置されている。【選択図】図３
2019131986.tif 000002
【特許請求の範囲】
【請求項１】
隣り合う一対のユニットルームと、
前記一対のユニットルームの各々に形成されて互いに対向する一対の開口部と、
前記一対のユニットルームの間に配置され、前記一対の開口部の周縁同士を接続する接続枠と
を備え、
前記接続枠は前記一対の開口部の下縁部同士を接続する下枠を有し、
前記下縁部は前記下枠の端面に対向する縦面を有し、
前記縦面と前記下枠の端面との間の少なくとも一部にくさび部材が配置されている
ユニットルームの接続構造。
【請求項２】
前記くさび部材は、
本体部と、
前記本体部における前記縦面又は前記下枠の端面に対向する面に形成され、前記本体部よりも柔軟な変形可能部と
を有している
請求項１記載のユニットルームの接続構造。
【請求項３】
前記くさび部材は、前記縦面と前記下枠の端面との間の隙間を上方から覆う化粧部を有する
請求項１又は請求項２記載のユニットルームの接続構造。
【請求項４】
前記くさび部材は、前記下縁部の全長にわたって形成されている
請求項１〜３のいずれか１項に記載のユニットルームの接続構造。
【請求項５】
前記一対のユニットルームの各々は、前記下枠が載せられる載置片を有し、
前記載置片と前記下枠とは、固着具により固定されていない
請求項１〜４のいずれか１項に記載のユニットルームの接続構造。
【発明の詳細な説明】
【技術分野】
【０００１】
本発明は、ユニットルームの接続構造に関する。
【背景技術】
【０００２】
特許文献１には、従来のユニットルームの接続構造が開示されている。特許文献１に記載のユニットシステムは、２つ以上の浴室ユニットを隣接して配置し、隣り合う浴室ユニット同士が連通口で通じている。
【０００３】
連通口は、矩形枠状の枠体により構成される。枠体の下枠部は、各浴室ユニットの開口部の下端部同士に跨って設置される。この開口部の下端部には、下枠部が載置され、この状態で、下枠部が、開口部の下端部に対してねじ留めされる。
【先行技術文献】
【特許文献】
【０００４】
【特許文献１】特開２０１４−８０７５９号公報
【発明の概要】
【発明が解決しようとする課題】
【０００５】
ところで、上記特許文献１に記載の下枠部は、開口部の下端部に対してねじ留めされている。しかし、下枠部の長手方向の全長にわたって、例えば、反り、がたつき又は浮き上がり等（以下、変形等という）を防ぐためには、開口部の下端部に対して、複数箇所でねじ留めを行う必要があり、作業性に改善の余地がある。
【０００６】
本開示は、上記事情に鑑みてなされ、接続枠の下枠について、作業性を向上しながら、変形等を抑えることができるユニットルームの接続構造を提供することを目的とする。
【課題を解決するための手段】
【０００７】
本開示に係る一態様のユニットルームの接続構造は、隣り合う一対のユニットルームと、一対の開口部と、接続枠とを備える。一対の開口部は、前記一対のユニットルームの各々に形成されて互いに対向する。接続枠は、前記一対のユニットルームの間に配置され、前記一対の開口部の周縁同士を接続する。前記接続枠は前記一対の開口部の下縁部同士を接続する下枠を有する。前記下縁部は前記下枠の端面に対向する縦面を有する。前記縦面と前記下枠の端面との間の少なくとも一部にくさび部材が配置されている。
【発明の効果】
【０００８】
本開示のユニットルームの接続構造は、接続枠の下枠について、作業性を向上しながら、変形等を抑えることができる、という利点がある。
【図面の簡単な説明】
【０００９】
【図１】図１は、本開示の一実施形態のユニットルームの接続構造の斜視図である。
【図２】図２は、同上の水平断面図である。
【図３】図３は、図２におけるＡ−Ａ線断面図である。
【図４】図４は、同上のくさび部材の斜視図である。
【図５】図５Ａは、変形例１に係るくさび部材の正面図である。図５Ｂは、変形例２に係るくさび部材の正面図である。図５Ｃは、変形例３に係るくさび部材の正面図である。
【発明を実施するための形態】
【００１０】
（実施形態１）
（１）概要
本実施形態に係るユニットルーム２の接続構造は、図１に示すように、少なくとも一対のユニットルーム２と、一対のユニットルーム２の各々に形成された開口部４１２と、開口部４１２の周縁同士を接続する接続枠６とを備えている。
【００１１】
接続枠６は、開口部４１２の周縁のうちの下縁部を接続する下枠６１を有する。下枠６１は、図３に示すように幅方向の端面を有している。下枠６１は、端面が、各ユニットルーム２に形成された縦面３３１に対向した状態で設置されている。ここで、本開示でいう「下枠６１の端面」とは、下枠６の幅方向のうちの一方の端面を意味する。
【００１２】
本実施形態では、下枠６１と縦面３３１との間の少なくとも一部に、くさび部材７が配置されている。くさび部材７は、本実施形態では、縦面３３１と下枠６１の端面との間に打ち込まれることで、下枠６１に対して、ユニットルーム２から下枠６１に向かう方向の外力を与える。外力が与えられた下枠６１は、くさび部材７とは反対側の端面が、縦面３３１に対して押し付けられる（ここでは、別のくさび部材７を介して押し付けられる）。これにより、下枠６１は縦面３３１に対して上下方向の位置が保持される。この結果、下枠６１の反り、がたつき又は浮き上がり等を抑えることができる。
【００１３】
（２）詳細
以下、本実施形態に係るユニットルーム２の接続構造の詳細を説明する。ここで、本開示では、複数のユニットルーム２を、図１に示すように、順番に、第１のユニットルーム２０，第２のユニットルーム２１として定義する。また、第１のユニットルーム２０から第２のユニットルーム２１に向かう水平方向を第１の方向Ｄ１とし、第１の方向Ｄ１とは反対方向を第２の方向Ｄ２として定義する。また、第１の方向Ｄ１及び第２の方向Ｄ２に直交しかつ水平面に沿う方向を第３の方向Ｄ３（双方向）として定義する。
【００１４】
なお、本開示でいう水平面は、ユニットルーム２を設置する面（設置面）に平行な面をいい、水平方向は、設置面に平行な方向を意味する。したがって、本開示でいう水平面は、必ずしも地球の重力に対して直交していなくてもよい。
【００１５】
本実施形態に係るユニットルーム２の接続構造は、一対のユニットルーム２と、接続枠６と、くさび部材７（図３）とを備えている。
【００１６】
（２．１）ユニットルーム
ユニットルーム２は、所定の設備を有する部屋であり、本実施形態では、ユニットバスルームである。所定の設備は、本実施形態では、浴槽２２、シャワー装置２３及び手すり４２１である。ただし、本開示では、所定の設備はシャワー装置２３のみであってもよいし、洗面台，便器又はサウナ装置等であってもよい。また、本開示では、複数のユニットルーム２のうちの一のユニットルーム２を、浴槽２２及びシャワー装置２３を有する部屋とし、他の一のユニットルーム２を、シャワーのみを有するユニットルーム２等としてもよい。すなわち、すべてのユニットルーム２が共通した設備を備えていなくてもよい。
【００１７】
一対のユニットルーム２は、隣り合っており、第１の方向Ｄ１に並んでいる。ここで、本実施形態に係る第１のユニットルーム２０及び第２のユニットルーム２１は、互いに対称に形成されている。各ユニットルーム２は、床パン３と、床パン３の周囲に立ち上げられた複数の壁パネル４と、複数の壁パネル４の上端部に設置された天井パネル５とを備えている。
【００１８】
床パン３は、ユニットルーム２の床面を構成する防水パンである。床パン３の上面は、ユニットルーム２の床面である。床パン３は、本実施形態では、上方から見て（平面視）矩形状に形成されており、例えば、合成樹脂製である。床パン３は、本実施形態では、洗い場を構成する洗い場部３５と、浴槽２２を設置する浴槽設置部３６とに区画されており、床パン３の外周部には、床パン３の上面から立ち上げられた立上部３１が形成されている。ただし、立上部３１は、接続枠６に対応する部分と、出入口に対応する部分には設けられていない。
【００１９】
なお、床パン３の下面には、複数のアジャスターフット（図視せず）が取り付けられており、床パン３は、設置面に対して、複数のアジャスターフットを介して設置されている。
【００２０】
壁パネル４は、ユニットルーム２の壁面を構成する。壁パネル４は、立上部３１の上端部に載った状態で、立上部３１に取り付けられている。本実施形態では、図２に示すように、複数の壁パネル４として、第１壁４１と、第２壁４２と、第３壁４３と、第４壁４４とを備えている。
【００２１】
第１壁４１は、ユニットルーム２の壁パネル４のうち、隣接する他のユニットルーム２に対向する壁パネルである。第１壁４１は、本実施形態では、第３の方向Ｄ３に離れた２つの小壁４１１と、２つの小壁４１１の間に形成された開口部４１２とを備えている。
【００２２】
開口部は、ユニットルーム２の出入口とは別に形成された開口部であり、隣接する他のユニットルーム２への連絡口となる。開口部４１２は、第１壁４１を第１の方向Ｄ１に貫通する。開口部４１２は、本実施形態では、２つの小壁４１１の対向する端面、天井パネル５の下面及び床パン３の上面で囲まれる部分であり、矩形状に形成されている。開口部４１２は、浴室内に面する浴室内側開口面と、隣接するユニットルーム２に面する浴室外側開口面とを備えている。なお、本開示では、開口部は、第１壁４１に形成された貫通部の周縁及び床パン３の上面で囲まれた部分により構成されてもよい。この場合、貫通部は、第１壁４１において、下方向，第１の方向Ｄ１及び第２の方向Ｄ２に開放する。
【００２３】
開口部４１２は、隣接するユニットルーム２の開口部４１２に対向する。すなわち、本実施形態では、浴室外側開口面同士が互いに平行となり、開口部４１２の周縁部が互いに平行に形成される。
【００２４】
第２壁４２は、第１壁４１に対向する。第２壁４２は、本実施形態では、浴槽２２が隣接する。また、第２壁４２には、浴槽２２よりも上方に手すり４２１が固定されている。第２壁４２は、第３の方向Ｄ３及び上下方向に平行である。
【００２５】
第３壁４３は、第１壁４１及び第２壁４２に直交する。第３壁４３は、本実施形態では、シャワー装置２３が取り付けられている。第３壁４３は、第１の方向Ｄ１（第２の方向Ｄ２）及び上下方向に平行である。
【００２６】
第４壁４４は、第３壁４３に対し、第３の方向Ｄ３に離れて対向する。第４壁４４は、出入口用の開口部４４１を有している。出入口用の開口部４４１には、複数の開閉扉が取り付けられる。本実施形態では、開閉扉は、引き戸４４２である。
【００２７】
（２．２）接続枠
接続枠６は、第１の方向Ｄ１に隣り合う一対のユニットルーム２の間に配置され、開口部４１２同士を接続する。本実施形態に係る接続枠６は、図１に示すように、下枠６１と、一対の縦枠６２と、上枠６３とを備え、矩形枠状に形成されている。接続枠６は、例えば、アルミニウム等の金属、合成樹脂又はカーボン等により構成される。
【００２８】
下枠６１は、開口部４１２の下縁部同士を接続する。下枠６１は、第１の方向Ｄ１（第２の方向Ｄ２）に幅を有し、第３の方向Ｄ３に延びている。下枠６１は、一対の縦枠６２の間に配置されて、一対の縦枠６２にねじ留めされる。
【００２９】
本開示でいう、下枠６１で一対の開口部４１２の下縁部同士を接続するとは、互いに離れている開口部４１２の下縁部同士を、下枠６１で続け合わせることを意味し、開口部４１２の下縁部に対して下枠６１が固定されているかどうかは問わない。また、本実施形態では、下枠６１と床パン３の上面とが面一の状態で、開口部４１２の下縁部同士が接続されるが、本開示では、下枠６１と床パン３の上面とは面一でなくてもよい。
【００３０】
図３に示すように、下枠６１は、本実施形態では、下枠本体６１０と、下枠本体６１０に取り付けられるカバー６１１とを備えている。下枠本体６１０は、下枠６１の主体を構成する部分である。下枠本体６１０は、第１の方向Ｄ１（第２の方向Ｄ２）に幅を有し、第３の方向Ｄ３に延びている。下枠本体６１０は、一対の縦枠６２の間に配置されて、一対の縦枠６２にねじ留めされる。下枠本体６１０は、上面が開口した複数の凹部６１２を有している。
【００３１】
カバー６１１は、平板状に形成されており、下枠本体６１０に対して着脱可能である。カバー６１１は、複数の凹部６１２を覆うようにして配置される。
【００３２】
本実施形態では、縦枠６２及び上枠６３でも、一対の開口部４１２同士を接続している。本実施形態では、縦枠６２及び上枠６３が、各開口部４１２の対応する縁に対して、固定されている。なお、本開示では、接続枠６は、縦枠６２及び上枠６３は、一対の開口部４１２に対して固定されていなくてもよい。
【００３３】
（２．３）接続構造の詳細
本実施形態に係るユニットルーム２の接続構造は、図３に示すように、床パン３に設けられた支持部３２を有している。支持部３２は、床パン３に設けられて下枠６１を支持する部分である。支持部３２は、開口部４１２の下縁部を構成する。支持部３２は、縦片３３と、載置片３４とを備えている。
【００３４】
縦片３３は、床パン３の外周端部のうちの開口部４１２側の端部から下方に突出する。縦片３３の厚み方向の両側の面のうち、接続枠６側の面を縦面３３１とする。縦面３３１は、下枠６１の端面に対向する。
【００３５】
載置片３４は、下枠６１が載せられる部分である。第１のユニットルーム２０に対応する載置片３４は、縦片３３の下端部から第１の方向Ｄ１に突出する。また、第２のユニットルーム２１に対応する載置片３４は、縦片３３の下端部から第２の方向Ｄ２に突出する。第１のユニットルーム２０の床パン３の載置片３４と、第２のユニットルーム２１の床パン３の載置片３４とは、同一平面上に位置し、かつ互いに離れている。本実施形態では、載置片３４は、下枠６１に対し、固着具により固定されない。なお、ここでいう固着具には、例えば、ねじ、ボルト又はリベット等が挙げられる。
【００３６】
第１のユニットルーム２０の支持部３２、及び第２のユニットルーム２１の支持部３２の上方には、下枠６１が配置される。２つの支持部３２の上方に下枠６１が配置されると、下枠６１の上面は、床パン３の上面に対して面一となる。
【００３７】
ここで、本開示でいう「下枠６１の上面が床パン３の上面に対して面一である」とは、下枠６１の上面と床パン３の上面とが、同一平面上に位置する場合だけでなく、僅かに高さの差がある場合も含むものとする。すなわち、本開示において、「下枠６１の上面が床パン３の上面に対して面一である」とは、厳密な意味での面一を意味するのではなく、バリアフリー構造として、段差がない効果が得られる範囲であれば、「面一」の範疇であるとする。
【００３８】
本実施形態に係るユニットルーム２は、第１のユニットルーム２０の縦面３３１と下枠６１の第２の方向Ｄ２の端面との間、及び第２のユニットルーム２１の縦面３３１と下枠６１の第１の方向Ｄ１の端面との間のそれぞれに、くさび部材７が配置されている。
【００３９】
（２．４）くさび部材
くさび部材７は、第１のユニットルーム２０又は第２のユニットルーム２１の縦面３３１と下枠６１との間に挟まれる部材である。くさび部材７が縦面３３１と下枠６１との間に挟まれることで、縦面３３１に対する下枠６１の移動又は変形を抑え、下枠６１の反り、がたつき又は浮き上がり等を抑えることができる。くさび部材７は、本実施形態では、合成樹脂により構成されるが、本開示では、金属製、カーボン製等であってもよい。くさび部材７は、図４に示すように、本体部７１と、変形可能部７２と、化粧部７３とを備えている。
【００４０】
ここで、本開示でいう「くさび部材７」とは、一端から他端にいくに従って薄くしたような、断面三角形状のいわゆる「くさび」形状の部材を意味するのではなく、単に「縦面３３１と下枠６１との間に挟まれる部材」であることを意味するに過ぎない。したがって、本開示では、くさび部材７の形状は特に限られない。
【００４１】
本体部７１は、くさび部材７において、縦面３３１と下枠６１の端面との間に挟まれる部分であって、主体をなす部分である。本体部７１は、本実施形態では、上下方向に延びた平板状に形成されている。本体部７１の下端部は、下方向にいくほど厚みが小さくなっている。本体部７１は、開口部４１２の下縁部の全長にわたる長さを有しており、すなわち、くさび部材は、開口部４１２の下縁部の全長にわたる。本体部７１は、硬質樹脂、金属又はカーボン等により構成される。
【００４２】
変形可能部７２は、本体部７１の厚さ方向の少なくとも一方の面に形成されて、本体部７１よりも柔軟に形成されている。変形可能部７２は、くさび部材７が縦面３３１と下枠６１の端面との間に差し入れられるときに、一定以上の力で差し入れることができるように、厚み等が設定されている。言い換えると、本開示では、変形可能部７２は、くさび部材７が縦面３３１と下枠６１の端面との間に圧入可能となるように設定されている。
【００４３】
変形可能部７２は、本実施形態では、複数のヒレ７２１により構成されており、本体部７１の厚さ方向の両側に設けられている。各ヒレ７２１は、本体部７１から離れるほど上方に位置するように傾斜している。各ヒレ７２１は、軟質樹脂やゴム等により構成されており、弾性変形可能である。複数のヒレ７２１は、くさび部材７が、縦面３３１と下枠６１の端面との間に圧入されると、本体部７１の移動に伴い、弾性変形する。このとき、くさび部材７は、下枠６１の端面に対して、くさび部材７から下枠６１の端面に向かう方向の外力を与える。
【００４４】
化粧部７３は、縦面３３１と下枠６１の端面との間の隙間を上方から覆う部分である。化粧部７３は、本体部７１の上端部に設けられている。化粧部７３は、本実施形態では、本体部７１と同じ材料で構成されている。化粧部７３の下面は、本体部７１を差し入れる方向（上下方向）に対して直交しており、化粧部７３の上面は、化粧部７３の下面に対して傾いている。化粧部７３の先端は、本体部７１が縦面３３１と下枠６１の端面との間に配置された状態において、本体部７１から床パン３側に突出しており、床パン３の上面に接触する。
【００４５】
図３に示すように、第１のユニットルーム２０の縦面３３１と下枠６１の端面との間にくさび部材７が差し入れられると、下枠６１は第１の方向Ｄ１に移動し、下枠６１の第１の方向Ｄ１の端面が、第２のユニットルーム２１の縦面３３１に押し付けられる。また、本実施形態では、第２のユニットルーム２１の縦面３３１と、下枠６１の端面との間にも、別のくさび部材７が差し入れられる。すなわち、下枠６１は、各端面が、くさび部材７を介して、対応する縦面３３１に押し付けられるため、第２のユニットルーム２１の縦面３３１及び第１のユニットルーム２０の縦面３３１に対して、位置保持される。このとき、縦面３３１と下枠６１の端面との間は、上方から化粧部７３によって覆われる。このため、縦面３３１と下枠６１の端面との間の隙間が目立つのを抑えることができる。
【００４６】
（３）変形例
上記実施形態は、本開示の様々な実施形態の一つに過ぎない。上記実施形態は、本開示の目的を達成できれば、設計等に応じて種々の変更が可能である。以下、上記実施形態の変形例を説明する。以下に説明する変形例は、適宜組み合わせて適用可能である。
【００４７】
（３．１）くさび部材の変形例１
図５Ａには、変形例１に係るくさび部材７を示す。変形例１に係るくさび部材７は、上記実施形態１に係るくさび部材７とは、変形可能部７２が、本体部７１の一方の面にのみ形成されている点で異なっている。変形例１に係るくさび部材７は、実施形態に係るくさび部材７と同様に、複数のヒレ７２１により構成される。
【００４８】
なお、変形可能部７２は、本体部７１の縦面３３１に対向する面に形成されてもよいし、本体部７１の下枠６１の端面に対向する面に形成されてもよい。
【００４９】
これによっても、上記実施形態に係るくさび部材７と同様、縦面３３１と下枠６１の端面との間に、適切な圧力で、くさび部材７を配置することができ、下枠６１の反り、がたつき又は浮き上がり等を抑えることができる。
【００５０】
（３．２）くさび部材の変形例２
図５Ｂには、変形例２に係るくさび部材７を示す。変形例２に係るくさび部材７は、化粧部７３を有していない点で、上記実施形態１に係るくさび部材７とは異なっている。変形例２に係るくさび部材７は、縦面３３１と下枠６１の端面との間に差し入れられるときに、上記実施形態と同様に、適切な力で圧入される。したがって、下枠６１に適切な外力を与えることができ、下枠６１の反り、がたつき又は浮き上がり等を抑えることができる。
【００５１】
もちろん、本変形例に係るくさび部材７は、化粧部７３を有していないため、縦面３３１と下枠６１の端面との間の隙間を覆うことができず、当該隙間が見えてしまう。このため、くさび部材７を差し入れた後に、例えば、シリコーンコーキング等で、縦面３３１と下枠６１の端面との間の隙間を埋めることが好ましい。
【００５２】
（３．３）くさび部材の変形例３
図５Ｃには、変形例３に係るくさび部材７を示す。変形例３に係るくさび部材７は、変形可能部７２が、ヒレ７２１ではなく、低反発フォーム等の柔軟体で構成されている点で、上記実施形態１に係るくさび部材７とは異なっている。
【００５３】
本変形例のくさび部材７は、本体部７１の厚み方向の両面に対して、変形可能部７２が形成されている。
【００５４】
くさび部材７が縦面３３１と下枠６１の端面との間に差し入れられると、変形可能部７２が変形しながら追従する。このとき、くさび部材７は圧入されることで、下枠６１に適切な外力を与えることができ、下枠６１の反り、がたつき又は浮き上がり等を抑えることができる。
【００５５】
（３．４）その他の変形例
その他、上記実施形態の変形例を列挙する。
【００５６】
本開示において、開口部４１２の開口面は、開口部４１２を開閉可能なカーテン又は引き戸等が設けられてもよい。引き戸が設置される場合、下枠６１の上面にレールが形成されてもよい。
【００５７】
上記実施形態に係るくさび部材７は、変形可能部７２を有していたが、本開示では、変形可能部７２はなくてもよい。変形可能部７２が設けられない場合、本体部７１の厚さを調整することで、くさび部材７の圧入の程度を調整してもよい。
【００５８】
上記実施形態に係るくさび部材７は、開口部４１２の下縁部の全長にわたって形成されたが、本開示では、開口部４１２の下縁部に断続的に形成されたり、下縁部の長手方向の一部にのみ形成されたりしてもよい。すなわち、本開示では、くさび部材７は、縦面３３１と下枠６１の端面との間の少なくとも一部に配置されていればよい。また、上記実施形態では、くさび部材７は、第１のユニットルーム２０の縦面３３１と下枠６１の端面、及び第２のユニットルーム２１の縦面３３１と下枠６１の端面の２か所に配置されたが、いずれか一方の箇所のみに配置されてもよい。
【００５９】
上記実施形態では、２つのユニットルーム２を接続する構造であったが、本開示では、３つ以上のユニットルーム２を接続してもよい。
【００６０】
（４）まとめ
以上説明したように、第１の態様に係るユニットルーム（２）の接続構造は、隣り合う一対のユニットルーム（２）と、一対の開口部（４１２）と、接続枠（６）とを備える。一対の開口部（４１２）は、一対のユニットルーム（２）の各々に形成されて互いに対向する。接続枠（６）は、一対のユニットルーム（２）の間に配置され、一対の開口部（４１２）の周縁同士を接続する。接続枠（６）は一対の開口部（４１２）の下縁部同士を接続する下枠（６１）を有する。下縁部は下枠（６１）の端面に対向する縦面（３３１）を有する。縦面（３３１）と下枠（６１）の端面との間の少なくとも一部にくさび部材（７）が配置されている。
【００６１】
この態様によれば、くさび部材（７）によって、下枠（６１）の端面に対して、縦面（３３１）から下枠（６１）の端面に向かう外力を与えることができる。これにより、下枠（６１）の変形（例えば、反り、がたつき又は浮き上がり等）を抑えることができる。
【００６２】
第２の態様に係るユニットルーム（２）の接続構造は、第１の態様において、くさび部材（７）は、本体部（７１）と、本体部（７１）において縦面（３３１）又は下枠（６１）の端面に対向する面に形成され、本体部（７１）よりも柔軟な変形可能部（７２）とを有している。
【００６３】
この構成によれば、縦面（３３１）と下枠（６１）の端面との間の寸法に応じて、くさび部材（７）を縦面（３３１）と下枠（６１）の端面との間に差し入れる力の程度（圧入の程度）を設定しやすい。
【００６４】
第３の態様に係るユニットルーム（２）の接続構造は、第１又は第２の態様において、くさび部材（７）は、縦面（３３１）と下枠（６１）の端面との間の隙間を上方から覆う化粧部（７３）を有する。
【００６５】
この構成によれば、くさび部材（７）を縦面（３３１）と下枠（６１）の端面との間に差し入れるだけで、縦面（３３１）と下枠（６１）の端面との間の隙間を覆うことができる。このため、縦面（３３１）と下枠（６１）の端面との間の隙間をコーキング等で覆う処理の手間を省くことができる。
【００６６】
第４の態様に係るユニットルーム（２）の接続構造は、第１〜第３のいずれかの態様において、くさび部材（７）は、下縁部の全長にわたって形成されている。
【００６７】
この構成によれば、下縁部の全長にわたって、くさび部材（７）による保持力を及ぼすことができ、一層、下枠（６１）の変形を抑えることができる。
【００６８】
第５の態様に係るユニットルーム（２）の接続構造は、第１〜４のいずれかの態様において、一対のユニットルーム（２）の各々は、下枠（６１）が載せられる載置片（３４）を有する。載置片（３４）と下枠（６１）とは、固着具により固定されていない。
【００６９】
この構成によれば、載置片（３４）と下枠（６１）とを固着具で固定する作業の手間を省くことができ、作業時間の短縮を図ることができる。
【００７０】
第２〜第５の態様に係る構成については、本開示に係るユニットルーム（２）の接続構造に必須の構成ではなく、適宜省略可能である。
【符号の説明】
【００７１】
２          ユニットルーム
３３１      縦面
４１２      開口部
６          接続枠
６１        下枠
７          くさび部材
７１        本体部
７２        変形可能部
７３        化粧部
【図１】
2019131986.tif 000003
【図２】
2019131986.tif 000004
【図３】
2019131986.tif 000005
【図４】
2019131986.tif 000006
【図５】
2019131986.tif 000007